(57)【要約】本発明は、テンションマスクフレームアセンブリ（１０）で使用するための改善されたマスクのサポートブレード構造（４０）を提供する。サポートブレード構造（４０）は、第一熱膨張係数を有する物質から形成され、固定部分（５１）及びサポートブレード構造（４０）に対して一般的に中心位置で結合されたインサート要素（６０）を含む。インサート要素（６０）は、第二熱膨張係数を有する物質から形成され、その長さに沿った列で延在する複数のアパーチャ（６２、６４）を含む。アパーチャ（６２、６４）は、サポートブレード構造（４０）に対してインサート要素（６０）を緩く結合するように、そこでアパーチャにより通過する固定部分（５１）よりも大きくなるような規模にされる。これは、インサート要素（６０）を中心で結合されるようにする一方で、インサート要素の端部が熱処理段階においてサポートブレード構造（４０）に関して摺動させる。
2005500656.tif 000002
【特許請求の範囲】
【請求項１】
陰極線管（１）の内部にテンションマスク（３０）を固定するためのマスクフレームアセンブリ（１０）であって、該マスクアセンブリは、
第一熱膨張係数を有する物質から形成されるサポートブレード構造（４０、１４０）と、
第二熱膨張係数を有する物質から形成されるインサート要素（６０、１６０）と
固定部分（１５１）と、を備えてなり、
前記インサート要素は該インサート要素の長さに沿って位置する複数のアパーチャ（６２、６４、１６２、１６４）を有し、
前記少なくとも一つの固定部分は前記インサート要素を前記インサート要素の一般的な中心位置で前記サポートブレード構造に結合し、前記残存する固定部分は前記インサート要素を前記アパーチャにより前記サポート構造に結合し、それによって前記アパーチャの開口部はそれぞれの固定部分を緩く受けるためのそれぞれのクリアランスを有するような規模にされることを特徴とするマスクフレームアセンブリ。
【請求項２】
前記サポート構造は、第一及び第二の連結する半構成部品（４１、４５）をさらに含むことを特徴とする請求項１に記載のマスクフレームアセンブリ。
【請求項３】
前記固定部分は、第一の半構成部品のエッジに沿って位置されるタブ（５１）を有することを特徴とする請求項２に記載のマスクフレームアセンブリ。
【請求項４】
前記アパーチャの開口部は、前記サポートブレード構造に関して前記インサート要素を移動させる前記インサート要素の長さに沿った前記アパーチャ内で前記固定部分を摺動させるような規模にされることを特徴とする請求項１に記載のマスクフレームアセンブリ。
【請求項５】
前記タブの各々は、狭い部分（５４）及び広い部分（５６）を有することを特徴とする請求項３に記載のマスクフレームアセンブリ。
【請求項６】
前記狭い部分及び広い部分は、停止表面（５２）によって分離されることを特徴とする請求項５に記載のマスクフレームアセンブリ。
【請求項７】
前記停止表面は、前記第二の半構成部品の表面（６６）に接することを特徴とする請求項６に記載のマスクフレームアセンブリ。
【請求項８】
前記固定部分は、前記サポート構造の前記アパーチャにより通過するファスナーを有することを特徴とする請求項１に記載のマスクフレームアセンブリ。
【請求項９】
テンションマスクアセンブリ（１０）のためのサポートブレード構造（４０）であって、該サポートブレード構造は、
インサート要素の一般的な中心位置で前記サポートブレード構造に結合される前記インサート要素（６０、１６０）と、
前記インサート要素を前記サポートブレード構造に対して結合する少なくとも一つのアパーチャにより延在する固定部分（５１、１５１）と、を備えてなり、
前記インサート要素は、該インサート要素の長さに沿って中心位置から延在する複数の前記アパーチャ（６２、６４）をさらに有し、
前記アパーチャは、前記インサート要素の長さに沿って前記インサート要素に関して前記サポート構造を移動させるように前記固定部分よりも大きくなるような規模にされることを特徴とするサポートブレード構造。
【請求項１０】
前記インサート要素及び前記サポート構造は、異なる熱膨張係数の物質から形成されることを特徴とする請求項９に記載のサポートブレード構造。
【発明の詳細な説明】
【技術分野】
【０００１】
本発明は、テンションマスクを有する色陰極線管に関し、より詳細には、テンションマスクをサポートするためのインサートを備えるマスクのサポートブレード構造を有するテンションマスクフレームアセンブリに関する。
【背景技術】
【０００２】
色陰極線管は、管のスクリーンに３つの電子ビームを形成し導くための電子銃を含む。スクリーンは、管の表面カバーの内面に位置し、リン光体を放射する三つの異なる色のアレイ要素で構成される。シャドーマスク又はフォーカスマスクのいずれかであるかもしれない、色選択電極は、各電子ビームがそのビームと関連するリン光体要素だけを打ちつけることを可能にするために、銃とスクリーンとの間に配置される。シャドーマスクは、鋼などの金属の薄いシートであり、すなわち、管の表面カバーの内面に多少平行となるように輪郭付けられる。
【０００３】
一つのタイプの色陰極線管は、張力下で２つの平行なサポートフレーム要素に固定され、陰極線管の表面カバーのパネル内に設置されたテンションマスクを有する。マスクで張力を維持するために、マスクは比較的重いフレームに取り付けられるべきである。そのような管が消費者の幅広い要求を満たしているが、マスクで必要な張力を維持する一方、かかる管でのマスクフレームアセンブリの重量及びコストを削減するために、さらなる改善の必要がある。
【０００４】
マスクで所望の張力が削減されるのであれば、より軽量なクレームがテンションマスク管で使用でき得ることが提案されている。所望のマスク張力を削減するための一つの方法は、低い熱膨張係数を有する物質からマスクを生成することである。しかしながら、そのような物質から生成されたマスクは、管の製造及び管の操作段階で必要とされる、熱処理中の膨張のどんな不適合を回避するために、同様の熱膨張係数を有する物質のフレームを必要とする。低い熱膨張係数を有する金属物質が比較的効果であるために、同一又は同等の低い熱膨張物質からマスク及びフレームの両者を生成することは、比較的コストがかかる。したがって、高い熱膨張係数のフレームを低い熱膨張係数のテンションマスクに組み合わせて使用することが望ましく、さらに、テンションマスクとそのフレームとの間に熱膨張係数の実質的な不適合が存在する問題の解決策を提供することが望ましい。
【発明の開示】
【発明が解決しようとする課題】
【０００５】
本発明は、テンションマスクフレームアセンブリで使用するための改善されたマスクのサポートブレード構造を提供する。
【課題を解決するための手段】
【０００６】
サポートブレード構造は、第一熱膨張係数を有する物質から形成され、固定部分及びインサート要素を含む。インサート要素は、第二熱膨張係数を有する物質から形成され、その長さに沿った列で延在する複数のアパーチャを含む。インサート要素は、インサート要素の長さに沿った一般的に中心位置で少なくとも一つの固定部分を備えるサポートブレード構造に接続されている。残りの固定部分は、固定部分がインサート要素のアパーチャ内に緩く嵌合するように固定部分よりも大きい規模のアパーチャによって、インサート部分をサポートブレード構造に結合する。これは、インサート要素の端部が熱処理段階でサポートブレード構造に関して自由に摺動する一方で、インサート要素が中心で固定されるようにする。
【発明を実施するための最良の形態】
【０００７】
本発明は、添付図を参照して実施例の手法によって記載される。
【０００８】
図１は、長方形の表面カバープレート３と、漏斗５によって接続された管状の首４とを含むガラス包２を有する陰極線管１を示す。漏斗５は、陽極ボタン６からパネル３及び首４に延在する、内部の伝導性コーティング（示されていない）を有する。パネル３は、視る表面カバー８と、ガラスフリット７によって漏斗５に密封された周辺のフランジ又は側壁９を含む。３色のリン光体スクリーン１２は、パネル３の内部表面によって保持される。スクリーン１２は三構造で配置されるリン光体ラインを備えるラインスクリーンであり、各三構造は各々３色のリン光体ラインを含む。色選択のテンションマスクフレームアセンブリ１０は、スクリーン１２に関して所定間隔で取り外し式に設置される。電子銃（図１の点線によって概略的に示される）１３は、スクリーン１２に対してテンションマスクフレームアセンブリ１０を通過する集中経路に沿って３つのインライン電子ビームと、センタービームと、及び２つのサイド又は外部ビームを生成して導くように首４内の中心に設置される。
【０００９】
管１は、漏斗と首の結合の近隣で示される、外部の磁気偏向ヨークで使用されるように設計される。活性化された場合、ヨーク１４は、スクリーン１２上の長方形のラスターで水平及び垂直に走査するビームを引き起こす、磁場に対して３つのビームを当てる。
【００１０】
図２で示されるテンションマスクフレームアセンブリ１０は、２つの長い側２２及び２４と、２つの短い側２６及び２８とを有する。フレームの２つの長い側２２及び２４は、管の中央の主軸ｘに対して平行であり、短い側２６及び２８は、管の中央の副軸ｙに対して平行である。テンションマスクフレームアセンブリ１０が簡素化のためにシートとしてここに概略して示されているが、マスク３０の副軸に対して平行である、金属ストリップの間に多様な拡張されたスリット（示されていない）を有する複数の金属ストライプ（示されていない）を含む孔のあるマスク３０を有する。サポートブレード構造４０は、フレーム２０に固定されて、マスク３０上の最良の屈曲及び張力迎合性を可能にするために各セクションの中心からセクションの端部まで縦方向に高さで変化してよい。
【００１１】
図３を参照するに、サポートブレード構造４０は、正面の側壁４８から延在するインサート要素６０に位置するマスク受けエッジ４３を有する。マスク受けエッジ４３は、適用されたマスクがパネル３の内面と一致するように適切に輪郭づけされてよい。さらに、詳細なサポートブレード構造４０は図４及び５で示される。インサート要素６０を含む閉じた管状構造を形成するように第一の半構成部品４１は第二の半構成部品４５に結合される。第一の半構成部品４１は、管状構造の底壁４４及び正面壁４８を形成する。第二の半構成部品４５は、管状構造の背部の側壁４６及び上端壁４２を形成する。図５で良好に示されるように、一連の突出４７及びくぼみ４９は底壁４４のエッジに沿って延在する。複数の固定部分又はインサートの保持タブ５１は、正面の側壁４８のエッジから延在する。各インサートの保持タブ５１は、広い部分５６から狭い部分５４を分離する停止表面５２を有する。
【００１２】
ここで第二の半構成部品４５に関して、背部の側壁４６は、エッジに沿って延在している背部側のくぼみ５３によって分離される、複数の背部側の突出５５を有する。同様に、上端壁４２は、上端側のくぼみ６８によって分離される複数の上端側の突出６６を有する。
【００１３】
図５乃至８を参照するに、インサート要素６０はプレートから形成されて、マスク受けエッジ４３及び背部表面６１を有するように輪郭づけされる。中央のタブを受ける開口部６２は、インサート要素６０の長さに沿って中央に位置された中心線Ｃのまわりに好ましく形成される。中心線Ｃのまわりに単一の中心タブを受ける開口部を有することが好ましいが、この中心タブを受ける開口部が、代替として中心線Ｃの近辺に位置する複数の中心タブを受ける開口部から構成されてよいことは当業者によって合理的に理解されるべきである。各々が中心タブを受ける開口部６２よりも大きな規模である複数の外部タブを受ける開口部６４は、中心タブを受ける開口部６２から外側の列に延在する。サポートブレード構造４０は、インサート要素６０の中心及び外部タブ受け開口部６２、６４によりインサート保持タブ５１を最初に促すことによって、図５で最良に示されるようにアセンブルされる。次いで、インサート要素６０に沿って第一の半構成部品４１は、突出４７が背部側のくぼみ５３に嵌合し、背部側の突出５５がくぼみ４９に嵌合するように、第二の半構成部品４５に固定される。同様に、インサート保持タブ５１の狭い部分５４は、上端側のくぼみ６８に嵌合する。次いで、それぞれの突出４７、５５、５６及びインサートタブ５１の各々は、例えば、溶接によって互いに好ましく固定される。第一及び第二の半構成部品４１、４５は、突出４７、５５、５６とくぼみ４９、５３、６８との間の干渉嵌合によって、又は各半構成部品の部分を選択的に溶接することによって、代替で互いに固定されてよい。代替として、第一及び第二の半構成部品４１、４５は、インサート固定タブ５１及び上端側のくぼみ６８で各エッジに沿って折り畳め且つ固定されるように、一部品として構成されてよい。
【００１４】
次いで、サポートブレード構造４０は、背部側の壁４６に沿ってフレーム２０に固定される。一旦、テンションマスク３０がマスク受けエッジ４３に適用されると、カンチレバー力は、カンチレバーが第一の半構成部品４１の正面の側壁４８に接触するポイントに関してカンチレバーを回転させる、インサート要素６０に適用される。したがって、背部表面６１は、インサート要素６０及びテンションマスク３０が正確に位置づけられて留まるようにする上部壁４２の内面に対して促される。
【００１５】
ここで図６を参照するに、インサート固定タブ５１は、停止表面５２が上端側の突出６６に接するまで上端壁４２の上端側のくぼみ６８に挿入される。図６及び７で最良に示されるように、中心タブ受け開口部６２は、そこに挿入されるインサート固定タブ５１の広い部分５６としっかりとした嵌合を形成するような規模にされた。外部タブ受け開口部６４は、そこに挿入されるインサート固定タブ５１の広い部分５６を緩く受けるような規模にされた。タブ受け開口部６２、６４又は広い部分５６の何れかが、所望のようにかかるしっかりとした嵌合又は緩い嵌合を生成するように規模的に変更してよいことが理解されるべきである。中心のまわりの一つ又は数多のタブ５１の何れかがインサート要素６０をサポートブレード構造４０に結合するためにそれぞれの開口部６２、６４としっかりとした嵌合を有するような規模とされてよいことをさらに理解されるべきである。
【００１６】
熱処理段階において、第一及び第二の半構成部品４１、４５がそれぞれ高い熱膨張係数の物質で形成され、インサート要素６０がそれぞれ低い熱膨張係数の物質で形成されるので、第一の半構成部品４１及び正面の側壁４８は、加熱中にインサート要素よりもさらに迅速に拡張する。図８に示されるように、拡張段階において、インサート要素６０と第一の半構成部品の正面の側壁４８との間の相対的な移動は、中心線Ｃに関して制御される。正面の側壁４８の拡張は、図８の矢印Ｅによって示される方向で発生する。中心タブ受け開口部６２が、そのそれぞれの中心に位置するインサート固定タブ５１を維持し、一方で、残存するインサート固定タブが、外部タブ受け開口部６４内で、方向Ｅで外側に向かって、又はインサート要素６０の縦の長さに沿って移動することを可能する。中心に近いインサート固定タブがそれぞれの外部タブ受け開口部内で、インサート要素６０の外部エッジに向かってさらに位置するよりもわずかな距離で移動するように拡張が起こることを図８において注意するべきである。したがって、中心線に近い外部タブ受け開口部は、その外部エッジで多大なクリアランスを有し、一方で、インサート要素６０の外部エッジに近い外部タブ受け開口部６４は、その内部エッジで多大なクリアランスを有する。
【００１７】
本発明の代替となる実施態様は、図９乃至１１に示される。図９の断面図は、代替のインサート要素１６０の輪郭づけされたマスク受けエッジ１４３に対して同様に固定されるテンションマスク３０を示す。代替のサポートブレード構造１４０は、閉じられた管状構造を形成しないことでことなるが、代わって単一のサポート要素１４５だけから構成され、したがって、管状構造を閉じる第二の半構成部品の必要性を除外する。単一のサポート要素は、フレーム２０に対して同様に固定される。上端壁１４２は、インサート要素１６０を受けるように背面の側壁１４６から延在する。ここで、しかしながら、インサート要素１６０は上端壁１４２の外部表面に固定される。さらに、マスク３０は、緊張状態の間、上端壁１４２に対してインサート要素１６０を折り畳み又は圧縮するように機能する。しかしながら、この実施態様において、マスク３０のために適切なサポートを維持するように、インサート要素１６０が代替として、上端壁１４２にインサート要素１６０を固定する固定手段で提供された上端壁１４２の内部表面に固定されることを理解されるべきである。本実施態様に示されるように、ファスナー１５１などの固定部分は、インサート要素１６０内のファスナー受け開口部１６２、１６４により通過する。中心のファスナー受け開口部１６２及び外部のファスナー受け開口部１６４は、ファスナー１５１を受けるために図１乃至８の実施態様とは異なって促される。中心のファスナー受け開口部１６２がここでは好ましく円形に示される一方で、それらの開口部は異なる形状のファスナーを受けるために別の形状に形成されてもよいことが理解されるべきである。図１０に最良に示されるように、この代替の実施態様は、中心のファスナー受け開口部１６２がそこで受けるファスナー１５１としっかりとした嵌合を形成するような規模にされる一方で、外部のファスナー受け開口部１６４は、ファスナー１５１を緩く受けるような規模とされ、さらに熱膨張段階において外部のファスナー受け開口部１６４内でファスナーを移動させることは図１乃至８の実施態様と同様である。結果として、インサート要素１６０が、例えば、溶接などによって任意の適切な中心の固定部分によりサポート要素に結合されてよいことを理解するべきである。図１１は、加熱サイクル段階におけるファスナー１５１と外部のファスナー受け開口部１６４との間の相対的な移動を示す。それらの構成部分間の相対的な移動は、図８で参照した記載と同様である。両実施態様におけるインサート要素が、マスク３０の熱膨張係数と近接して合致する熱膨張係数を有するように、好ましく選択されることを注意するべきである。これは、処理段階において、マスクの位置的な正確さを良好に制御するために、両構成部分を熱処理段階において、拡張し、且つ共に縮小させる。
【００１８】
本発明の利点は、比較的高い熱膨張係数の高価でない物質が、サポートブレード構造４０、１４０を生成するように活用されてよく、一方でわずかな量の比較的低い熱膨張係数の物質がインサート要素６０において活用されてもよいことである。本発明の構造は、テンションマスク３０が処理で発生する熱処理段階において、表面カバーパネル３の背部での正確な位置づけを維持することを保証するように、中心に関して制御された手法でインサート要素６０、１６０とサポートブレード構造４０、１４０との間の相対的な移動を可能にする。
【００１９】
先の記載は、本発明を実行するための可能性のうちの幾つかを例証する。多数の別の実施態様は、本発明の趣旨及び範囲内において可能である。したがって、先の記載は、限定ではなく実例であるものとして見なされ、本発明の範囲は、等価な物の十分な範囲と共に付随の請求項によって与えられることが意図される。
【図面の簡単な説明】
【００２０】
【図１】表面カバーパネルの背部に設置されたテンションマスクフレームアセンブリを有する陰極線管の断面図である。
【図２】図１で示されるテンションマスクフレームアセンブリの斜視図である。
【図３】サポートブレード構造の正面図である。
【図４】図３の線４−４に沿って得られた断面図である。
【図５】アセンブル段階でのサポートブレード構造の斜視図である。
【図６】インサートアパーチャ及びそれによって通過するサポートブレード構造の部分を示す図４の線６−６に沿って得られたサポートブレード構造の部分的な断面図である。
【図７】熱処理段階でのインサートとサポートブレード構造との間の相対移動の進行を示す、図４の線７−７に沿って得られたサポートブレード構造の部分的な断面図である。
【図８】熱処理段階でのインサートとサポートブレード構造との間の相対移動の進行を示す、図４の線７−７に沿って得られたサポートブレード構造の部分的な断面図である。
【図９】サポートブレード構造の代替の実施態様における図４の断面と同様の断面図である。
【図１０】熱処理段階での代替の実施態様のインサートとサポートブレード構造との間の相対移動の進行を示す、図７及び図８と同様の部分的な断面図である。
【図１１】熱処理段階での代替の実施態様のインサートとサポートブレード構造との間の相対移動の進行を示す、図７及び図８と同様の部分的な断面図である。
【国際公開パンフレット】
2005500656.tif 000003
2005500656.tif 000004
2005500656.tif 000005
2005500656.tif 000006
2005500656.tif 000007
2005500656.tif 000008
2005500656.tif 000009
2005500656.tif 000010
2005500656.tif 000011
2005500656.tif 000012
2005500656.tif 000013
2005500656.tif 000014
2005500656.tif 000015
2005500656.tif 000016
2005500656.tif 000017
【国際公開パンフレット（コレクトバージョン）】
2005500656.tif 000018
【国際調査報告】
2005500656.tif 000019
2005500656.tif 000020
2005500656.tif 000021